(57)【要約】  ユニット選択部（１２０）は、複数の蓄電ユニット（１１０）から予め定められた数の蓄電ユニットを選択して入出力端子（１４０）に接続する。制御部（１３０）はユニット選択部（１２０）を制御する。具体的には、制御部（１３０）は、入出力端子（１４０）から連続して放電させる間に、ユニット選択部（１２０）が選択する蓄電ユニット（１１０）を切り替え、かつ、同一の蓄電ユニット（１１０）を、時間を空けて繰り返し選択する。
2015068537.tif 000002
【特許請求の範囲】
【請求項１】
複数の蓄電ユニットと、
前記複数の蓄電ユニットから予め定められた数の蓄電ユニットを選択して入出力端子に接続するユニット選択手段と、
前記ユニット選択手段を制御する制御手段と、
を備え、
前記制御手段は、前記入出力端子から連続して放電させる間に、前記ユニット選択手段が選択する前記蓄電ユニットを切り替え、かつ、同一の前記蓄電ユニットを、時間を空けて繰り返し選択する電源装置。
【請求項２】
請求項１に記載の電源装置において、
前記制御手段は、前記ユニット選択手段が選択する前記蓄電ユニットを予め定められた時間内で切り替える電源装置。
【請求項３】
請求項２に記載の電源装置において、
前記予め定められた時間は１秒以下である電源装置。
【請求項４】
請求項２又は３に記載の電源装置において、
前記制御手段は、前記予め定められた時間を、前記ユニット選択手段に選択されている前記蓄電ユニットの電圧、温度、及び電力の残量の少なくとも一つに従って定める電源装置。
【請求項５】
請求項１〜４のいずれか一項に記載の電源装置において、
前記蓄電ユニットの状態を示す状態情報を前記複数の蓄電ユニット別に生成する状態検出手段を備え、
前記制御手段は、前記複数の蓄電ユニット別の前記状態情報に基づいて前記ユニット選択手段が選択すべき前記蓄電ユニットを決定する電源装置。
【請求項６】
請求項５に記載の電源装置において、
前記状態情報が示す前記蓄電ユニットの状態は、前記蓄電ユニットの電圧、温度、及び電池残量の少なくとも一つである電源装置。
【請求項７】
請求項１〜６のいずれか一項に記載の電源装置において、
前記電源装置は、第１出力モードと第２出力モードを有しており、
前記制御手段は、
前記第１出力モードの時には前記ユニット選択手段が選択する前記蓄電ユニットを切り替え、かつ、同一の前記蓄電ユニットを、時間を空けて繰り返し選択し、
前記第２出力モードの時には、前記複数の蓄電ユニットを互いに並列に前記入出力端子に接続する電源装置。
【請求項８】
複数の蓄電ユニットから入出力端子を介して外部に電力を供給する電力供給方法であって、
前記入出力端子から連続して電力を供給している間に、前記入出力端子に接続する前記蓄電ユニットを切り替え、かつ、同一の前記蓄電ユニットを、時間を空けて繰り返し選択する電力供給方法。
【請求項９】
電源装置を制御する制御装置であって、
前記電源装置は、
複数の蓄電ユニットと、
前記複数の蓄電ユニットから予め定められた数の蓄電ユニットを選択して入出力端子に接続するユニット選択手段と、
を有し、
前記制御装置は、前記入出力端子から連続して放電させる間に、前記ユニット選択手段が選択する前記蓄電ユニットを切り替え、かつ、同一の前記蓄電ユニットを、時間を空けて繰り返し選択する制御装置。
【請求項１０】
コンピュータを、ユニット選択手段を制御する制御装置として機能させるためのプログラムであって、
前記ユニット選択手段は、複数の蓄電ユニットから予め定められた数の蓄電ユニットを選択して入出力端子に接続し、
前記コンピュータに、前記入出力端子から連続して放電させる間に、前記ユニット選択手段が選択する前記蓄電ユニットを切り替え、かつ、同一の前記蓄電ユニットを、時間を空けて繰り返し選択する機能を実現させるプログラム。
【発明の詳細な説明】
【技術分野】
【０００１】
本発明は、複数の蓄電ユニットを有する電源装置、電力供給方法、制御装置、及びプログラムに関する。
【背景技術】
【０００２】
近年は、複数の蓄電ユニットを有する電源装置が普及している。電源装置は、電力を蓄電ユニットに蓄えておき、必要に応じて蓄電ユニットから電力を供給する装置である。電源装置に関する技術としては、例えば特許文献１，２に記載の技術がある。【０００３】
特許文献１には、放電中のリチウムイオン電池の電圧が放電停止電圧より低くなると、そのリチウムイオン電池からの放電を停止し、かつ別のリチウムイオン電池から放電させることが記載されている。【０００４】
特許文献２には、リチウムイオン電池を所定の放電レート以上で放電する際に、通電及び休止を、放電終止電圧になるまで繰り返し行うことが記載されている。
【先行技術文献】
【特許文献】
【０００５】
【特許文献１】特開２０１２−１５６０２５号公報
【特許文献２】特許第４７１０２１２号公報
【発明の概要】
【発明が解決しようとする課題】
【０００６】
電源装置の用途によっては、電源装置から取り出すことができる電流を増やすことが望まれる。このためには電源装置が有する蓄電ユニットの数を増やし、かつこれら蓄電ユニットを並列に接続すればよい。しかし、蓄電ユニットの数を増やすと電源装置が大型化し、また、電源装置の製造コストが増大してしまう。【０００７】
一方、電源装置の蓄電ユニットの数を増やさずに電源装置から取り出す電流を増やすと、蓄電ユニットの劣化が早くなる。【０００８】
本発明の目的は、蓄電ユニットの数が増えることを抑制しつつ、電源装置から取り出す電流を増やすことができ、かつ、蓄電ユニットの劣化を抑制することにある。
【課題を解決するための手段】
【０００９】
本発明によれば、複数の蓄電ユニットと、
前記複数の蓄電ユニットから予め定められた数の蓄電ユニットを選択して入出力端子に接続するユニット選択手段と、
前記ユニット選択手段を制御する制御手段と、
を備え、
前記制御手段は、前記入出力端子から連続して放電させる間に、前記ユニット選択手段が選択する前記蓄電ユニットを切り替え、かつ、同一の前記蓄電ユニットを、時間を空けて繰り返し選択する電源装置が提供される。【００１０】
本発明によれば、複数の蓄電ユニットから入出力端子を介して外部に電力を供給する電力供給方法であって、
前記入出力端子から連続して電力を供給している間に、前記入出力端子に接続する前記蓄電ユニットを切り替え、かつ、同一の前記蓄電ユニットを、時間を空けて繰り返し選択する電力供給方法が提供される。【００１１】
本発明によれば、電源装置を制御する制御装置であって、
前記電源装置は、
複数の蓄電ユニットと、
前記複数の蓄電ユニットから予め定められた数の蓄電ユニットを選択して入出力端子に接続するユニット選択手段と、
を有し、
前記制御装置は、前記入出力端子から連続して放電させる間に、前記ユニット選択手段が選択する前記蓄電ユニットを切り替え、かつ、同一の前記蓄電ユニットを、時間を空けて繰り返し選択する制御装置が提供される。【００１２】
本発明によれば、コンピュータを、ユニット選択手段を制御する制御装置として機能させるためのプログラムであって、
前記ユニット選択手段は、複数の蓄電ユニットから予め定められた数の蓄電ユニットを選択して入出力端子に接続し、
前記コンピュータに、前記入出力端子から連続して放電させる間に、前記ユニット選択手段が選択する前記蓄電ユニットを切り替え、かつ、同一の前記蓄電ユニットを、時間を空けて繰り返し選択する機能を実現させるプログラムが提供される。
【発明の効果】
【００１３】
本発明によれば、蓄電ユニットの数が増えることを抑制しつつ、電源装置から取り出す電流を増やすことができ、かつ、蓄電ユニットの劣化を抑制することができる。
【図面の簡単な説明】
【００１４】
上述した目的、およびその他の目的、特徴および利点は、以下に述べる好適な実施の形態、およびそれに付随する以下の図面によってさらに明らかになる。【００１５】
【図１】第１の実施形態に係る蓄電装置の機能構成を示す図である。
【図２】蓄電装置の放電時の動作の一例を示すフローチャートである。
【図３】第２の実施形態に係る蓄電装置の機能構成を示す図である。
【図４】データ記憶部が記憶しているデータの一例をテーブル形式で示す図である。
【図５】蓄電装置が放電するときの動作を示すフローチャートである。
【図６】第３の実施形態に係る蓄電装置が放電するときの動作を示すフローチャートである。
【図７】図６の変形例を示すフローチャートである。
【図８】第４の実施形態に係る蓄電装置が放電するときの動作を示すフローチャートである。
【図９】第５の実施形態に係る蓄電装置の機能構成を示す図である。
【図１０】第６の実施形態に係る蓄電装置の機能構成を示す図である。
【発明を実施するための形態】
【００１６】
以下、本発明の実施の形態について、図面を用いて説明する。尚、すべての図面において、同様な構成要素には同様の符号を付し、適宜説明を省略する。
【００１７】
なお、以下に示す説明において、制御部１３０は、ハードウエア単位の構成ではなく、機能単位のブロックを示している。制御部１３０は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１８】
（第１の実施形態）
図１は、第１の実施形態に係る蓄電装置１０の機能構成を示す図である。本実施形態に係る蓄電装置１０は、複数の蓄電ユニット１１０、ユニット選択部１２０、制御部１３０、及び入出力端子１４０を備えている。ユニット選択部１２０は、複数の蓄電ユニット１１０から予め定められた数の蓄電ユニットを選択して入出力端子１４０に接続する。制御部１３０はユニット選択部１２０を制御する。具体的には、制御部１３０は、入出力端子１４０から連続して放電させる間に、ユニット選択部１２０が選択する蓄電ユニット１１０を切り替え、かつ、同一の蓄電ユニット１１０を、時間を空けて繰り返し選択する。これにより、蓄電ユニット１１０の数が増えることを抑制しつつ、蓄電装置１０から取り出す電流を増やすことができ、かつ、蓄電ユニット１１０の劣化を抑制することができる。以下、詳細に説明する。
【００１９】
蓄電ユニット１１０は、少なくとも一つの蓄電池セル、例えばリチウムイオン電池セルを有している。蓄電ユニット１１０が複数の蓄電池セルを有している場合、これら蓄電池セルは、直列に接続されていてもよいし、並列に接続されていてもよい。また、蓄電池セルを互いに直列に接続することで組電池が構成されている場合、蓄電ユニット１１０は、互いに並列に接続された複数の組電池を有していてもよい。
【００２０】
ユニット選択部１２０は、上記したように、複数の蓄電ユニット１１０から予め定められた数の蓄電ユニットを選択して入出力端子１４０に接続する。ユニット選択部１２０が同時に選択する蓄電ユニット１１０の数は、例えば一つであるが、複数であってもよい。ユニット選択部１２０は、同時に複数の蓄電ユニット１１０を選択する場合、複数の蓄電ユニット１１０を互いに直列に接続してもよいし、互いに並列に接続してもよい。
【００２１】
ユニット選択部１２０は、例えば蓄電ユニット１１０毎にスイッチ素子（例えばパワートランジスタ）を有している。これら複数のスイッチ素子のオン／オフが制御されることにより、入出力端子１４０に接続する蓄電ユニット１１０が選択される。
【００２２】
制御部１３０は、例えばユニット選択部１２０が有する複数のスイッチ素子のオン／オフを制御することにより、入出力端子１４０に接続する蓄電ユニット１１０が選択する。
【００２３】
入出力端子１４０は、第１端子１４２及び第２端子１４４を有している。本図に示す例では、ユニット選択部１２０は、蓄電ユニット１１０を第１端子１４２に接続する。そして第２端子１４４は、常に蓄電ユニット１１０に接続している。第２端子１４４は、例えば蓄電ユニット１１０の負極に接続しており、第１端子１４２は、蓄電ユニット１１０の正極に接続する。
【００２４】
なお、制御部１３０は、蓄電装置１０の他の構成要素から独立した装置として設けられていてもよい。
【００２５】
図２は、蓄電装置１０の放電時の動作の一例を示すフローチャートである。まず制御部１３０は、蓄電ユニット１１０の選択順を決定する（ステップＳ１０）。制御部１３０は、例えば蓄電ユニット１１０の物理的な配列に従って蓄電ユニット１１０の選択順を決定してもよいし、選択順を定めたテーブルを読み出すことにより、蓄電ユニット１１０の選択順を決定してもよい。後者の場合、テーブルは制御部１３０が有する記憶手段から読み出されていてもよいし、蓄電装置１０の外部から読み出されてもよい。
【００２６】
次いで制御部１３０は、ユニット選択部１２０を制御することにより、ステップＳ１０で定めた順に、蓄電ユニット１１０を入出力端子１４０に接続する。これにより、入出力端子１４０に接続された蓄電ユニット１１０は放電する。そして制御部１３０は、放電時間が終了するまで、複数の蓄電ユニット１１０を繰り返し選択して入出力端子１４０に接続させる（ステップＳ２０）。
【００２７】
ここで、制御部１３０は、ユニット選択部１２０が選択する蓄電ユニット１１０を予め定められた時間内で切り替えるのが好ましい。この予め定められた時間は、例えば１秒以下、好ましくは０．５秒以下である。
【００２８】
なお、入出力端子１４０は、複数の蓄電ユニット１１０を充電する充電端子としても機能する。複数の蓄電ユニット１１０を充電する場合、ユニット選択部１２０は、例えば複数の蓄電ユニット１１０を、同時に入出力端子１４０に並列に接続させる。
【００２９】
以上、本実施形態によれば、制御部１３０は、入出力端子１４０から連続して放電させる間に、ユニット選択部１２０が選択する蓄電ユニット１１０を切り替え、かつ、同一の蓄電ユニット１１０を、時間を空けて繰り返し選択する。このため、一つの蓄電ユニット１１０から長い時間連続して大電流が取り出されることを抑制できる。従って、蓄電ユニット１１０の数が増えることを抑制しつつ、蓄電装置１０から取り出す電流を増やすことができ、かつ、蓄電ユニット１１０の劣化を抑制することができる。
【００３０】
上記した蓄電ユニット１１０の劣化抑制効果は、制御部１３０が、ユニット選択部１２０が選択する蓄電ユニット１１０を予め定められた時間内で切り替える場合、特に大きくなる。
【００３１】
（第２の実施形態）
図３は、第２の実施形態に係る蓄電装置１０の機能構成を示す図である。本実施形態に係る蓄電装置１０は、状態検出部１１２、電流計１５２、及びデータ記憶部１３２を有している点を除いて第１の実施形態に係る蓄電装置１０と同様の構成である。
【００３２】
状態検出部１１２は、蓄電ユニット１１０の状態を示す状態情報を複数の蓄電ユニット１１０別に生成する。状態検出部１１２が生成する状態情報は、例えば蓄電ユニット１１０の電圧及び温度の少なくとも一方である。状態検出部１１２は、例えば温度計及び電圧計の少なくとも一方を有している。そして状態検出部１１２が生成した状態情報は、蓄電ユニット１１０を互いに識別するユニット識別情報に対応付けて、データ記憶部１３２に記憶される。
【００３３】
なお、状態検出部１１２のうち蓄電ユニット１１０の電圧を測定する機能は、複数の蓄電ユニット１１０で共用されてもよい。
【００３４】
また、ユニット選択部１２０は、蓄電ユニット１１０が有している電力の残量を記憶している。この残量は、電流計１５２の検出値を用いて更新される。電流計１５２は、ユニット選択部１２０と第１端子１４２の間に設けられており、第１端子１４２を流れる電流を測定する。データ記憶部１３２は、電流計１５２の検出値の積分値と、そのとき入出力端子１４０に接続している蓄電ユニット１１０のユニット識別情報を用いて、蓄電ユニット１１０の残量を更新する。蓄電ユニット１１０のユニット識別情報は、制御部１３０からデータ記憶部１３２に出力される。
【００３５】
そして制御部１３０は、データ記憶部１３２が記憶している情報に基づいて、蓄電ユニット１１０のそれぞれの放電時間を決定する。例えば制御部１３０は、選択されている蓄電ユニット１１０の温度が基準温度より高い場合、放電時間を基準時間より短くする。また制御部１３０は、選択されている蓄電ユニット１１０の電圧が基準電圧より低い場合、放電時間を基準時間より短くする。また制御部１３０は、選択されている蓄電ユニット１１０の電池残量が基準残量より小さい場合、放電時間を基準時間より短くする。
【００３６】
なお、基準温度、基準電圧、基準残量はそれぞれ複数設けられていてもよい。この場合、放電時間は、複数の基準温度それぞれに対応して設定され、複数の基準電圧それぞれに対応して設定され、また、複数の基準残量それぞれに対応して設定される。
【００３７】
図４は、データ記憶部１３２が記憶しているデータの一例をテーブル形式で示す図である。本図に示す例において、データ記憶部１３２は、ユニット識別情報別に、そのユニット識別情報に対応する蓄電ユニット１１０の温度、電圧、及び電池残量を記憶している。そしてデータ記憶部１３２が記憶しているデータは、状態検出部１１２及び電流計１５２の検出値を用いて更新される。
【００３８】
図５は、蓄電装置１０が放電するときの動作を示すフローチャートである。本図に示すフローとは別に、データ記憶部１３２が記憶しているデータは、定期的に更新されている。データ記憶部１３２のデータが更新されるタイミングは、例えば入出力端子１４０に接続する蓄電ユニット１１０が切り替わった直後である。
【００３９】
まず制御部１３０は、蓄電ユニット１１０の選択順を決定する（ステップＳ１０）。ステップＳ１０の詳細は、第１の実施形態と同様である。
【００４０】
次いで制御部１３０は、ユニット選択部１２０を制御することにより、ステップＳ１０で定めた順に、蓄電ユニット１１０を入出力端子１４０に接続する。これにより、入出力端子１４０に接続された蓄電ユニット１１０は放電する。詳細には、制御部１３０は、ユニット選択部１２０を制御して、入出力端子１４０に接続する蓄電ユニット１１０を選択する（ステップＳ２２）。これと平行して、制御部１３０は、選択した蓄電ユニット１１０の放電時間を決定する（ステップＳ２４）。そして制御部１３０は、選択した蓄電ユニット１１０に放電させる（ステップＳ２６）。このとき、入出力端子１４０に接続されている蓄電ユニット１１０からの放電時間は、ステップＳ２４で決定した放電時間である。
【００４１】
制御部１３０は、蓄電装置１０からの放電時間が終了するまで、ステップＳ２２〜ステップＳ２６に示した処理を繰り返す（ステップＳ２８）
【００４２】
本実施形態によっても、第１の実施形態と同様の効果が得られる。また、制御部１３０は、蓄電ユニット１１０の状態（例えば温度、電圧、又は電池残量）に基づいて、その蓄電ユニット１１０の放電時間を決定する。従って、蓄電ユニット１１０が劣化することをさらに抑制できる。
【００４３】
（第３の実施形態）
第３の実施形態に係る蓄電装置１０の機能ブロック図は、第２の実施形態に係る蓄電装置１０と同様である。
【００４４】
図６は、本実施形態に係る蓄電装置１０が放電するときの動作を示すフローチャートである。なお、本図に示す例において、蓄電ユニット１１０の一回あたりの放電時間は、固定値（例えば０．５秒以下の値）となっている。
【００４５】
まず、データ記憶部１３２に記憶されているデータは最新の値に更新される（ステップＳ１２）。
【００４６】
次いで制御部１３０は、データ記憶部１３２が記憶している状態情報を用いて、入出力端子１４０に接続すべき蓄電ユニット１１０を選択する（ステップＳ１４）。具体的には、制御部１３０は、蓄電ユニット１１０の電圧、及び電力の残量の少なくとも一つに従って、蓄電ユニット１１０を選択する。例えば制御部１３０は、電圧が最も高い蓄電ユニット１１０を選択する。制御部１３０は、温度が最も低い蓄電ユニット１１０を選択してもよい。またユニット選択部１２０は、電力の残量が最も多い蓄電ユニット１１０を選択してもよい。
【００４７】
そして制御部１３０は、ユニット選択部１２０に、ステップＳ１４で選択した蓄電ユニット１１０を入出力端子１４０に接続させ（ステップＳ２２）、その蓄電ユニット１１０に放電させる（ステップＳ２６）。
【００４８】
そして選択している蓄電ユニット１１０の放電時間が経過すると、制御部１３０は、蓄電装置１０から放電すべき時間が経過しているか否かを判断する（ステップＳ２８）。放電すべき時間が残っている場合（ステップＳ２８：Ｙｅｓ）、ステップＳ１２に戻る。また、
放電すべき時間が残っていない場合（ステップＳ２８：Ｎｏ）、蓄電装置１０は待機状態になる。
【００４９】
図７は、図６の変形例を示すフローチャートである。本図に示すフローチャートは、蓄電ユニット１１０の一回あたりの放電時間が、第２の実施形態と同様のタイミング及び方法で算出されている（ステップＳ２４）点を除いて、図６に示した例と同様である。
【００５０】
本実施形態によっても、第１の実施形態と同様の効果が得られる。また、制御部１３０は、データ記憶部１３２が記憶している状態情報を用いて入出力端子１４０に接続すべき蓄電ユニット１１０を選択する。このため、特定の蓄電ユニット１１０に負荷が加わることを抑制できる。
【００５１】
また、図７に示すフローチャートに従って蓄電装置１０が動作した場合、第２の実施形態と同様の効果も得られる。
【００５２】
（第４の実施形態）
【００５３】
第４の実施形態に係る蓄電装置１０の機能ブロック図は、第２の実施形態に係る蓄電装置１０と同様である。
【００５４】
図８は、本実施形態に係る蓄電装置１０が放電するときの動作を示すフローチャートである。本図に示す動作は、入出力端子１４０に接続されている蓄電ユニット１１０が放電している間に、制御部１３０が次の蓄電ユニット１１０を選択している点（ステップＳ２５）を除いて、図７に示したフローチャートと同様である。
【００５５】
なお、入出力端子１４０に接続している蓄電ユニット１１０の放電時間が短く、放電時間内に次の蓄電ユニット１１０を選択し終わらない場合も考えられる。そのような場合（ステップＳ１３：Ｎｏ）、制御部１３０は、入出力端子１４０に接続している蓄電ユニット１１０の放電が終了した後も、次の蓄電ユニット１１０を選択する処理を継続する（ステップＳ１４）。
【００５６】
なお、本図に示す処理において、ステップＳ２４は省略されてもよい。この場合、蓄電ユニット１１０の一回あたりの放電時間は、固定値（例えば０．５秒以下の値）となる。
【００５７】
本実施形態によっても、第３の実施形態と同様の効果が得られる。また、蓄電ユニット１１０が放電している間に次の蓄電ユニット１１０を選択するため、蓄電ユニット１１０をすばやく切り替えることができる。従って、蓄電ユニット１１０を切り替えるタイミングで入出力端子１４０の出力電圧が低下することを抑制できる。
【００５８】
（第５の実施形態）
図９は、第５の実施形態に係る蓄電装置１０の機能構成を示す図である。本図に示す蓄電装置１０は、以下の点を除いて、第２〜第４の実施形態に係る蓄電装置１０のいずれかと同様の構成である。
【００５９】
まず、蓄電装置１０は、放電時の動作モードとして、第１出力モードと第２出力モードを有している。第１出力モードは入出力端子１４０から大電流を出力するときのモードである。そして第１出力モードでは、蓄電装置１０は、図２及び図６〜９のいずれかに示したフローにしたがって動作する。
【００６０】
一方、第２出力モードは、大電流を出力する必要がないときのモードである。第２出力モードでは、制御部１３０は、ユニット選択部１２０に、複数の蓄電ユニット１１０を並列に入出力端子１４０に接続させる。
【００６１】
そして、蓄電装置１０は入力部１５０を備えている。入力部１５０は、蓄電装置１０を第１出力モード及び第２出力モードのいずれで動作させるかを示す情報が入力される。制御部１３０は、入力部１５０に入力された情報に従って、ユニット選択部１２０を制御する。なお、入力部１５０への入力は、例えば蓄電装置１０のユーザによって行われる。
【００６２】
本実施形態によっても、第１〜第４の実施形態と同様の効果が得られる。また、蓄電装置１０は第１出力モードの他に第２出力モードも有している。このため、大電流を必要としないときに蓄電装置１０を第２モードで動作させることにより、蓄電ユニット１１０が劣化することを抑制できる。
【００６３】
（第６の実施形態）
図１０は、第６の実施形態に係る蓄電装置１０の機能構成を示す図である。本図に示す蓄電装置１０は、容量１６０を有している点を除いて、第５の実施形態に係る蓄電装置１０と同様の構成である。容量１６０は、第１端子１４２と第２端子１４４の間に設けられている。
【００６４】
本実施形態によっても、第５の実施形態と同様の効果が得られる。また、第１端子１４２と第２端子１４４の間に容量１６０を設けているため、蓄電ユニット１１０を切り替えるタイミングで入出力端子１４０の出力が低下することを抑制できる。
【００６５】
なお、例えば蓄電ユニット１１０を切り替える際に、既に入出力端子１４０に接続されている蓄電ユニット１１０を入出力端子１４０から切り離す前に、次の蓄電ユニット１１０を入出力端子１４０に接続するようにしても、蓄電ユニット１１０を切り替えるタイミングで入出力端子１４０の出力が低下することを抑制できる。
【００６６】
以上、図面を参照して本発明の実施形態について述べたが、これらは本発明の例示であり、上記以外の様々な構成を採用することもできる。
【００６７】
この出願は、２０１３年１１月５日に出願された日本出願特願２０１３−２２９５４９号を基礎とする優先権を主張し、その開示の全てをここに取り込む。
【図１】
2015068537.tif 000003
【図２】
2015068537.tif 000004
【図３】
2015068537.tif 000005
【図４】
2015068537.tif 000006
【図５】
2015068537.tif 000007
【図６】
2015068537.tif 000008
【図７】
2015068537.tif 000009
【図８】
2015068537.tif 000010
【図９】
2015068537.tif 000011
【図１０】
2015068537.tif 000012
【国際調査報告】
2015068537.tif 000013
2015068537.tif 000014
2015068537.tif 000015
2015068537.tif 000016